(57)【要約】      （修正有）【課題】シートに付着する異物の毛羽立ちを抑制できる画像形成装置を提供する。【解決手段】画像形成装置は、画像形成部と、回収部１０と、レジストローラー対４４とを備える。画像形成部は、シートＰに画像を形成する。回収部１０は、シートＰの搬送方向Ｄにおいて画像形成部の上流に配置される。レジストローラー対４４は、シートＰの搬送方向Ｄにおいて回収部１０と画像形成部との間に配置される。回収部１０は、シートＰに付着する異物ＰＬを回収する。レジストローラー対４４は、シートＰに付着する異物ＰＲを押圧する。【選択図】図２
2016155676.tif 000002
【特許請求の範囲】
【請求項１】
シートに画像を形成する画像形成部と、
前記シートの搬送方向において前記画像形成部の上流に配置される回収部と、
前記シートの前記搬送方向において前記回収部と前記画像形成部との間に配置される押圧ローラー対と
を備え、
前記回収部は、前記シートに付着する異物を回収し、
前記押圧ローラー対は、前記シートに付着する前記異物を押圧する、画像形成装置。
【請求項２】
前記押圧ローラー対のうち少なくとも一方のローラーは、クラウンローラーであり、
前記クラウンローラーは、長手方向において、両端部から中央に向かうにつれて外形が大きくなるクラウン形状である、請求項１に記載の画像形成装置。
【請求項３】
前記回収部は、回収ローラーと、クリーニングローラーとを含み、
前記クリーニングローラーは、クリーニングウェブを有し、
前記クリーニングウェブは、前記回収ローラーに接触するように配置される、請求項１または請求項２に記載の画像形成装置。
【請求項４】
前記回収ローラーは、粘着性を有する、請求項３に記載の画像形成装置。
【請求項５】
前記回収ローラーは、シリコーン樹脂で覆われる、請求項３または請求項４のいずれか１項に記載の画像形成装置。
【請求項６】
前記回収部は、ブラシを含む、請求項１または請求項２に記載の画像形成装置。
【請求項７】
前記押圧ローラー対は、前記シートの傾きを補正する、請求項１から請求項６のいずれか１項に記載の画像形成装置。
【請求項８】
前記シートの前記搬送方向において前記押圧ローラー対と前記画像形成部との間に配置されるレジストローラーをさらに備え、
前記レジストローラーは、前記シートの傾きを補正する、請求項１から請求項６のいずれか１項に記載の画像形成装置。
【発明の詳細な説明】
【技術分野】
【０００１】
本発明は、画像形成装置に関する。
【背景技術】
【０００２】
画像形成装置は、シートに画像を形成する。しかしながら、シートに異物が付着していると、シートに形成される画像の品質が低下する恐れがある。シートに付着する異物は、例えば紙粉である。この問題を解決するために、シートに付着する紙粉を回収する技術が知られている。
【０００３】
例えば、特許文献１には、インクジェット記録装置が開示されている。インクジェット記録装置は、記録媒体（シート）の搬送方向において画像形成部より上流側に異物除去機構と、異物除去機構に接触して配置されるスポンジ部材とを備える。異物除去機構は、スポンジ部材との摺擦によって帯電することで、記録媒体に付着している紙粉を吸着する。
【先行技術文献】
【特許文献】
【０００４】
【特許文献１】特開２００９−２０２４６０号公報
【発明の概要】
【発明が解決しようとする課題】
【０００５】
しかしながら、特許文献１に記載のインクジェット記録装置では、異物除去機構に吸着されなかった一部の紙粉（異物）は、記録媒体に付着したまま毛羽立つ可能性がある。記録媒体に付着する紙粉が毛羽立つと、画像形成部によって記録媒体に形成される画像の品質が低下する可能性がある。
【０００６】
本発明は、上記課題に鑑みてなされたものであり、シートに付着する異物の毛羽立ちを抑制できる画像形成装置を提供することを目的としている。
【課題を解決するための手段】
【０００７】
本発明の画像形成装置は、画像形成部と、回収部と、押圧ローラーとを備える。画像形成部は、シートに画像を形成する。回収部は、前記シートの搬送方向において前記画像形成部の上流に配置される。押圧ローラー対は、前記シートの前記搬送方向において前記回収部と前記画像形成部との間に配置される。前記回収部は、前記シートに付着する異物を回収する。前記押圧ローラー対は、前記シートに付着する前記異物を押圧する。
【発明の効果】
【０００８】
本発明の画像形成装置によれば、シートに付着する異物の毛羽立ちを抑制できる。
【図面の簡単な説明】
【０００９】
【図１】本発明の実施形態に係る画像形成装置の構成を示す図である。
【図２】本発明の実施形態に係る画像形成装置の回収部及び押圧ローラー対の構成を示す拡大図である。
【図３】本発明の実施形態に係る画像形成装置のクラウンローラーを示す図である。
【発明を実施するための形態】
【００１０】
以下、本発明の実施形態について、図面（図１〜図３）を参照しながら説明する。なお、図中、同一又は相当部分については同一の参照符号を付して説明を繰り返さない。本実施形態では、Ｘ軸及びＹ軸は水平面に平行であり、Ｚ軸は鉛直線に平行である。
【００１１】
まず、図１及び図２を参照して、本実施形態に係る画像形成装置１について説明する。図１は、画像形成装置１の構成を示す。画像形成装置１は、装置筐体１００、給送部２、画像形成部３、シート搬送部４、及び、シート排出部５を備える。本実施形態では、画像形成部３がインクジェット方式でシートＰに画像を形成する画像形成装置１について説明する。なお、画像形成装置１の画像形成部３は、電子写真方式でシートＰに画像を形成してもよいし、トナーをシートＰに直接吹きつける方式で画像を形成してもよい。
【００１２】
給送部２は、装置筐体１００の内部の下方に配置される。給送部２は、給送カセット２１、給送ローラー２２、及び、給送板２３を備える。給送カセット２１は、装置筐体１００に着脱自在に取り付けられる。給送カセット２１は、複数枚のシートＰを収容する。シートＰは、例えば、普通紙、コピー紙、再生紙、薄紙、厚紙、若しくは光沢紙のような紙、又はＯＨＰ（Ｏｖｅｒｈｅａｄ  Ｐｒｏｊｅｃｔｏｒ）シートのような合成樹脂製のシートである。以下、本明細書では、装置筐体１００の内部でシートＰの搬送される方向を、搬送方向Ｄと記載する。また、搬送方向Ｄに直交する方向に沿ったシートＰの長さをシートＰの幅と記載する。
【００１３】
給送ローラー（ピックアップローラー）２２は、給送カセット２１の一方側端（図１では右側端）の上方に配置される。給送ローラー２２は、給送カセット２１内に収容されたシートＰを最上部から一枚ずつ取り出す。給送板２３は、給送ローラー２２とシート搬送部４との間に配置されて、給送ローラー２２が取り出したシートＰをシート搬送部４へ案内する。
【００１４】
シート搬送部４は、画像形成部３の一方側（図１では右側）に配置される。シート搬送部４は、シートＰの搬送方向Ｄにおいて画像形成部３より上流に配置される。シート搬送部４は、回収部１０、ガイド板４１、第１搬送ローラー対４２、第２搬送ローラー対４３、及び、押圧ローラー対としてのレジストローラー対４４を備える。ガイド板４１は、略Ｃ字形の搬送路Ｌを構成する。搬送路Ｌは、シートＰが搬送される経路であり、略Ｃ字形である。
【００１５】
第１搬送ローラー対４２及び第２搬送ローラー対４３は、搬送路Ｌに沿ってシートＰを搬送する。第１搬送ローラー対４２は、搬送路Ｌの入口側に配置される。第１搬送ローラー対４２は、給送板２３に沿って搬送されるシートＰを挟んで搬送路Ｌに送出する。第２搬送ローラー対４３は、搬送路Ｌの途中に配置される。第２搬送ローラー対４３は、ガイド板４１に沿って搬送されるシートＰを挟んで回収部１０に送出する。回収部１０へ送出されるシートＰには異物が付着している可能性がある。
【００１６】
ここで、シートＰに付着する可能性のある異物について説明する。まず、シートＰの製紙工程中に、シートＰに異物が付着する可能性がある。具体的には、シートＰの裁断時にシートＰの切断面に切り粉が発生して、シートＰに付着する可能性がある。また、シートＰの梱包時にシートＰ同士が擦れて、シートＰから繊維、填料、炭酸カルシウム、又はタルクのような異物が剥離し、シートＰに付着する可能性がある。
【００１７】
さらに、シートＰが装置筐体１００の内部を搬送される際に、シートＰに異物が付着する可能性がある。例えば、給送ローラー２２は、給送カセット２１からシートＰを取出す際に、シートＰとの接触面を摺擦する。また、給送ローラー２２によって給送カセット２１から取り出されるシートＰと、その直下に積載されたシートＰとが擦れ合う。従って、シートＰが給送ローラー２２によって給送される際に、シートＰから異物が発生し、シートＰに付着する可能性がある。
【００１８】
また、例えば、複数枚のシートＰが重なって搬送された場合、第１搬送ローラー対４２は、シートＰとの接触面を摺擦することによって、シートＰの重送を抑制する。具体的には、第１搬送ローラー対４２のうち、一方のローラーは、シートＰの搬送方向Ｄの反対方向に回転又は停止し、他方のローラーに接触しているシートＰから他のシートＰを分離させる。従って、シートＰが第１搬送ローラー対４２によって搬送される際に、シートＰから異物が発生し、シートＰに付着する可能性がある。
【００１９】
さらに、例えば、第２搬送ローラー対４３の幅はシートＰの幅より小さく、第２搬送ローラー対４３の縁は比較的鋭い。第２搬送ローラー対４３を構成する各ローラーの縁がシートＰと接触しながら、各ローラーは回転する。従って、シートＰが第２搬送ローラー対４３によって搬送される際に、シートＰから異物が発生し、シートＰに付着する可能性がある。そこで、回収部１０は、シートＰに付着する異物を回収する。
【００２０】
図１及び図２を参照して回収部１０について詳細に説明する、図２は、回収部１０及びレジストローラー対４４を示す拡大図である。回収部１０は、搬送路Ｌの途中であって、搬送方向Ｄにおいて、第２搬送ローラー対４３とレジストローラー対４４との間に配置される。回収部１０は、第２搬送ローラー対４３から送出されたシートＰをレジストローラー対４４に向かって送出する。
【００２１】
回収部１０は、回収ローラー１１及び回収ローラー１２を含む。回収ローラー１１は、シートＰのうち画像形成部３によって画像を形成される一方の面に対向する。回収ローラー１１は、モーター（図示せず）によって回転駆動される。回収ローラー１２は、シートＰのうち他方の面に対向する。回収ローラー１１及び回収ローラー１２のそれぞれの幅の長さは、シートＰの幅の長さより大きい。回収ローラー１２は、回収ローラー１１の回転に伴って回転する。回収ローラー１１及び回収ローラー１２は、ニップＮ１を形成する。ニップＮ１は、ニップＮ１を通過するシートＰにかかる荷重が、例えば２０Ｎであるように形成される。
【００２２】
回収ローラー１１及び回収ローラー１２のそれぞれは、粘着性を有する。例えば、回収ローラー１１及び回収ローラー１２のそれぞれの周面に粘着テープが巻かれる。従って、シートＰがニップＮ１を通過すると、シートに付着している異物ＰＬは、回収ローラー１１及び回収ローラー１２のそれぞれに付着する。その結果、回収部１０は、シートＰに付着する異物ＰＬを回収する。なお、回収ローラー１１及び回収ローラー１２のそれぞれは、シートＰの搬送を妨げない程度の粘着性を有することが好ましい。
【００２３】
回収部１０は、さらに、クリーニングローラー１３及び清掃部材１４を含む。クリーニングローラー１３は、巻出しローラー１３１、巻取りローラー１３２、及びクリーニングウェブ１３３を有する。クリーニングウェブ１３３は、例えば不織布である。クリーニングウェブ１３３は、巻出しローラー１３１及び巻取りローラー１３２によって一定の力で張架され、回収ローラー１１の表面に対して、一定の圧力で接触するように配置される。
【００２４】
回収ローラー１１は、クリーニングウェブ１３３と接触しつつ回転する。従って、回収ローラー１１とクリーニングウェブ１３３とが擦れることによって、回収ローラー１１が摩擦帯電する。その結果、帯電した回収ローラー１１に発生する静電吸引力により、シートＰに付着する異物ＰＬは、回収ローラー１１に吸着される。つまり、回収ローラー１１は、シートＰに付着する異物ＰＬをさらに回収する。
【００２５】
回収ローラー１１に回収された異物ＰＬは、クリーニングウェブ１３３に掻き取られる。つまり、クリーニングウェブ１３３は、回収ローラー１１の周面をクリーニングする。その後、クリーニングウェブ１３３は、巻出しローラー１３１が回転することによって巻出され、巻取りローラー１３２が回転することによって巻取られる。クリーニングウェブ１３３の巻き取られる方向は、一方方向である。クリーニングウェブ１３３が巻取られると、クリーニングウェブ１３３のうち、回収ローラー１１と接触する領域がずれる。従って、クリーニングウェブ１３３は、随時、クリーニングウェブ１３３のうち、異物ＰＬを掻き取っていない領域を回収ローラー１１に接触させる。その結果、クリーニングウェブ１３３の回収ローラー１１への清掃性が向上する。
【００２６】
ユーザーは、クリーニングウェブ１３３が巻取られるタイミング及び長さを任意に設定できる。例えば、ユーザーは、１枚のシートＰがニップＮ１を通過すると、クリーニングウェブ１３３が２ｍｍ巻取られるように設定する。従って、ユーザーに設定された任意のタイミングで、クリーニングウェブ１３３のうち、回収ローラー１１と接触する領域がずれる。
【００２７】
清掃部材１４は、回収ローラー１２の周面に接触するように配置される。清掃部材１４は、例えば、スポンジ又はハケである。回収ローラー１２は、清掃部材１４に接触しつつ回転する。従って、回収ローラー１２は、摩擦帯電する。その結果、帯電した回収ローラー１２に発生する静電吸引力により、シートＰに付着する異物ＰＬは、回収ローラー１２に吸着される。つまり、回収ローラー１２は、シートＰに付着する異物ＰＬをさらに回収する。その後、回収ローラー１２に吸着された異物ＰＬは、清掃部材１４に掻き取られる。従って、回収ローラー１２の周面は、清掃部材１４によって清掃される。
【００２８】
本実施形態によれば、回収部１０は、シートＰに付着する異物ＰＬを回収する。従って、シートＰが画像形成部３に搬送される前に、シートＰに付着する異物ＰＬは除去される。その結果、異物ＰＬが付着していることに起因する、シートＰに形成される画像の品質の低下を抑制する。
【００２９】
また、本実施形態によれば、クリーニングローラー１３は、回収ローラー１１の周面を清掃し、清掃部材１４は、回収ローラー１２の周面を清掃する。従って、回収ローラー１１及び回収ローラー１２のそれぞれの汚染が抑制される。その結果、シートＰに付着する異物ＰＬがさらに回収される。
【００３０】
ここで、回収部１０に回収されなかった異物ＰＲは、シートＰに付着したまま毛羽立った状態で画像形成部３へ搬送される可能性がある。具体的には、回収ローラー１１及び／又は回収ローラー１２は、シートＰがニップＮ１を通過する際に、シートＰに付着する異物ＰＬを擦りあげる。一部の異物ＰＬは、回収ローラー１１及び／又は回収ローラー１２に付着せず、シートＰに付着した状態で毛羽立つ。その結果、回収部１０に回収されなかった異物ＰＲは、シートＰに付着したまま毛羽立った状態で画像形成部３へ搬送される可能性がある。シートＰに付着する異物ＰＲが毛羽立っていると、シートＰに形成される画像の品質が低下する可能性がある。そこで、レジストローラー対４４は、シートＰに付着する異物ＰＲをシートＰに向かって押圧する。
【００３１】
図１〜図３を参照してレジストローラー対４４について説明する。図３は、クラウンローラー４４ａを示す。レジストローラー対４４は、搬送路Ｌの出口側であって、搬送方向Ｄにおいて回収部１０と画像形成部３との間に配置される。レジストローラー対４４は、クラウンローラー４４ａ及び従動ローラー４４ｂを含む。クラウンローラー４４ａ及び従動ローラー４４ｂのそれぞれは、シートＰの幅方向に沿って延びる。クラウンローラー４４ａ及び従動ローラー４４ｂのそれぞれの長手方向に沿った長さは、シートＰの幅の長さより大きい。クラウンローラー４４ａは、シートＰのうち、画像形成部３によって画像を形成される一方の面に対向する。クラウンローラー４４ａは、軸４４１ａに固着される。軸４４１ａは、モーター（図示せず）によって回転駆動される。従動ローラー４４ｂは、シートＰのうち、他方の面に対向する。従動ローラー４４ｂは、クラウンローラー４４ａの回転に伴って回転する。
【００３２】
クラウンローラー４４ａ及び従動ローラー４４ｂは、ニップＮ２を形成する。クラウンローラー４４ａは、付勢部材４５によって両端を押圧される。付勢部材４５は、例えばコイルバネである。ニップＮ２は、ニップＮ２を通過するシートＰにかかる荷重が、ニップＮ１を通過するシートＰにかかる荷重より大きくなるように形成される。従って、例えば、ニップＮ２は、ニップＮ２を通過するシートＰにかかる荷重が４０Ｎであるように形成される。
【００３３】
レジストローラー対４４は、回収部１０を通過したシートＰの傾きを補正する。具体的には、例えば、レジストローラー対４４は、クラッチ等によって回転を停止している。回収部１０によって送出されたシートＰの先端は、停止するレジストローラー対４４のニップＮ２に当接する。シートＰは、回収部１０によってさらに送出され、たわむことで傾きが補正される。また、レジストローラー対４４は、シートＰへの画像を形成されるタイミングとシートＰの搬送されるタイミングとを同期させる。具体的には、レジストローラー対４４は、回収部１０を搬送されたシートＰを一時的に停止させた後、画像を形成されるタイミングに合わせて画像形成部３にシートＰを送出する。すると、傾きを補正されたシートＰが、画像を形成されるタイミングに合わせて画像形成部３へ送出される。
【００３４】
クラウンローラー４４ａは、長手方向において、両端部から中央に向かうにつれて外形が大きくなるクラウン形状を有する。従って、ニップＮ２を通過するシートＰには、シートＰの幅方向において均等に荷重がかかる。すなわち、シートＰに付着する異物ＰＲは、シートＰの幅方向において均等な力で押圧される。
【００３５】
毛羽立った異物ＰＲは、シートＰに向かって押圧されると倒伏し、毛羽立ちが抑制される。ニップＮ２を通過した後のシートＰに付着する異物ＰＬの毛羽立ちは、ニップＮ２を通過する前のシートＰに付着する異物ＰＲの毛羽立ちより抑制されている。その結果、シートＰに付着する異物ＰＬは、画像形成部３へ搬送される前に毛羽立ちが抑制されている。
【００３６】
本実施形態によれば、レジストローラー対４４は、シートＰに付着する異物ＰＲをシートＰに向かって押圧する。従って、シートＰに付着する異物ＰＲの毛羽立ちが抑制される。その結果、シートＰに付着する異物ＰＲの毛羽立ちに起因する、シートＰに形成される画像の品質の低下を抑制する。
【００３７】
図１に戻って、画像形成部３及びシート排出部５について説明する。画像形成部３は、給送部２の上方に配置される。画像形成部３は、搬送部３１、負圧印加部３３、４種類の記録ヘッド３４ａ、３４ｂ、３４ｃ、３４ｄ、及び排出板３６を備える。４種類の記録ヘッド３４ａ、３４ｂ、３４ｃ、及び、３４ｄは、略同一の構成を有するため、記録ヘッド３４と総称することもある。記録ヘッド３４は、記録ヘッド３４の下方を通過中のシートＰにインクを吐出して、シートＰに文字及び／又は図形のような画像を形成する。
【００３８】
搬送部３１は、記録ヘッド３４に対向して配置される。搬送部３１は、搬送ベルト３２及び、プラテン３５を備える。搬送ベルト３２は、駆動されて、レジストローラー対４４から送出されてきたシートＰを所定方向に搬送する。図１では、搬送ベルト３２は反時計周りに駆動される。その結果、図１において、シートＰは記録ヘッド３４の下方を左向きに搬送される。なお、搬送ベルト３２は、「無端ベルト」の一例に相当する。搬送ベルト３２は、記録ヘッド３４の下方を通過したシートＰを、さらに排出板３６へ向けて搬送する。
【００３９】
プラテン３５は、画像形成部３に対向して配置される。プラテン３５は、記録ヘッド３４に対向する位置で、搬送ベルト３２を介してシートＰを支持する。つまり、プラテン３５は、搬送ベルト３２の一部を支持する。プラテン３５は、「搬送板」の一例に相当する。本実施形態では、便宜上、搬送部３１がプラテン３５を備える形態について説明しているが、負圧印加部３３がプラテン３５を備える形態であってもよい。プラテン３５には、複数の貫通孔が形成されている。
【００４０】
負圧印加部３３は、搬送ベルト３２を介して記録ヘッド３４と対向するようにプラテン３５の下方に配置される。負圧印加部３３の上面は、プラテン３５によって覆われている。負圧印加部３３には、ファン３３１が取り付けられる。ファン３３１が駆動することによって、負圧印加部３３が負圧状態になる。負圧印加部３３が負圧状態になると、プラテン３５に形成される複数の貫通孔を通って、負圧印加部３３に空気が流入する。その結果、シートＰが搬送ベルト３２に向かって吸着される。
【００４１】
本実施形態において、負圧印加部３３は、大気圧よりも約０．００５気圧（約５００Ｐａ）低い負圧状態になっている。本実施形態では、ファン３３１を用いて負圧印加部３３に負圧を発生させる。ただし、負圧印加部３３に負圧を発生させるために、例えば、真空ポンプが用いられてもよい。
【００４２】
ここで、負圧印加部３３が負圧状態になると、記録ヘッド３４の下方の空気が負圧印加部３３に流入するため、記録ヘッド３４の下方に空気流が発生する。その結果、シートＰに付着している異物ＰＬが空気流によって舞い上がる可能性がある。記録ヘッド３４の下方で異物ＰＬが舞い上がると、異物は記録ヘッド３４に付着し、記録ヘッド３４が汚染される可能性がある。記録ヘッド３４が汚染されると、記録ヘッド３４の汚染に起因してシートＰに形成される画像の品質が低下する可能性がある。
【００４３】
本実施形態によれば、シートＰが記録ヘッド３４の下方に搬送される前に、シートＰに付着する異物ＰＲの毛羽立ちが抑制されている。従って、記録ヘッド３４の下方に発生する空気流によって、シートＰに付着する異物ＰＬが舞い上がることを抑制できる。その結果、異物ＰＬの記録ヘッド３４への付着が抑制され、異物ＰＬの付着による記録ヘッド３４の汚染が抑制される。
【００４４】
排出板３６は、搬送ベルト３２によって搬送されたシートＰをシート排出部５に案内する。シート排出部５は、画像形成部３の他方側（図１では左側）に配置される。シート排出部５は、排出ローラー対５１及び排出トレイ５２を備える。排出トレイ５２は、装置筐体１００に形成された排出口１０１から外部に突出するように装置筐体１００に固定されている。
【００４５】
排出ローラー対５１は、排出板３６によって案内されたシートＰを、排出口１０１へ向けて送出する。排出ローラー対５１によって送出されたシートＰは、排出口１０１を介して、装置筐体１００の外部に排出される。排出トレイ５２には、排出口１０１から排出されたシートＰが載置される。
【００４６】
以上図１〜図３を参照して説明したように、本実施形態によれば、シートＰに付着する異物ＰＲは、画像形成部３に搬送される前にシートＰに向かって押圧される。従って、シートＰに付着する異物ＰＲの毛羽立ちが抑制される。その結果、シートＰに付着する異物ＰＲの毛羽立ちに起因する、シートＰに形成される画像の品質が低下することを抑制する。
【００４７】
以上、図面（図１〜図３）を参照しながら本発明の実施形態について説明した。但し、本発明は、上記の実施形態に限られるものではなく、その要旨を逸脱しない範囲で種々の態様において実施することが可能である（例えば、下記に示す（１）〜（８））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００４８】
（１）図２を参照して説明したように、回収ローラー１１は、クリーニングウェブ１３３によって摩擦され、回収ローラー１２は、清掃部材１４によって摩擦されることで、帯電した。ただし、回収ローラー１１及び／又は回収ローラー１２は、例えば電圧印加部が電圧を印加することで帯電させてもよい。
【００４９】
（２）図２を参照して説明したように、回収ローラー１２の周面は、清掃部材１４によって清掃された。ただし、回収ローラー１１の周面を清掃するクリーニングローラー１３と同様の構成のクリーニングローラーが、回収ローラー１２の周面を清掃してもよい。
【００５０】
（３）図１を参照して説明したように、本実施形態では、インクジェット方式の画像形成装置１について説明した。ただし、画像形成装置１が、他の方式でシートＰに画像を形成する場合には、シートＰの搬送方向Ｄにおいて、他の方式に対応する画像形成部より上流に回収部１０が配置され、回収部１０と画像形成部との間にレジストローラー対４４が配置される。
【００５１】
（４）図１〜図３を参照して説明したように、押圧ローラー対としてのレジストローラー対４４は、シートＰに付着する異物ＰＲを押圧しつつ、シートＰの傾きを補正した。ただし、画像形成装置１は、シートＰに付着する異物ＰＲを押圧する押圧ローラー対と、シートＰの傾きを補正するレジストローラー対とを別々に備えてもよい。その場合、シートＰの搬送方向Ｄにおいて、回収部１０、押圧ローラー対、レジストローラー対４４の順に配置される。さらにその場合、レジストローラー対４４を通過するシートＰにかかるニップ圧は、回収部１０を通過するシートＰにかかるニップ圧より大きく、押圧ローラー対を通過するシートＰにかかるニップ圧より小さいことが好ましい。従って、例えば、回収部１０を通過するシートＰにかかるニップ圧が２０Ｎであり、押圧ローラー対を通過するシートＰにかかるニップ圧が４０Ｎであれば、レジストローラー対４４を通過するシートＰにかかるニップ圧は、３０Ｎである。
【００５２】
（５）回収ローラー１１及び回収ローラー１２のそれぞれは、例えば、シリコーン樹脂で覆われてもよい。ただし、回収ローラー１１及び回収ローラー１２を覆う材料は、シリコーン樹脂に限定されない。清掃部材１４との摩擦による帯電傾向が記録ヘッド３４の帯電傾向と同一となる材料を使用して回転部材１２０を覆えばよい。例えば、回転部材１２０を覆う材料としてフッ素樹脂が使用され得る。この場合、記録ヘッド３４の下方に到達した異物の帯電極性と記録ヘッド３４の帯電極性とが同極性となる。その結果、異物ＰＬが記録ヘッド３４に付着することが抑制される。
【００５３】
（６）図１及び図２を参照して説明したように、回収部１０は、回収ローラー１１及び回収ローラー１２を含む。ただし、回収部１０は、ブラシを含んでもよい。この場合、シートＰは、ブラシに接触されつつ搬送され、シートＰに付着する異物ＰＬが掻き落とされる。
【００５４】
（７）図２を参照して説明したように、回収ローラー１１及び回収ローラー１２のそれぞれの幅の長さは、シートＰの幅の長さより大きい。ただし、回収ローラー１１及び回収ローラー１２のそれぞれは、シートＰのうち異物ＰＬの付着しやすい領域に対向する位置にのみ配置されてもよい。また、回収ローラー１１及び回収ローラー１２のそれぞれは、互いが対になるように配置されればよい。従って、単数の回収ローラー１１及び単数の回収ローラー１２が配置されてもよいし、シートＰの幅方向に沿って、複数の回収ローラー１１及び複数の回収ローラー１２が設けられてもよい。
【００５５】
（８）図３を参照して説明したように、レジストローラー対４４のうち、一方のローラーがクラウンローラー４４ａであった。ただし、レジストローラー対４４は、少なくとも一方のローラーがクラウンローラーであってもよく、どちらもクラウン形状ではないローラーであってもよい。
【産業上の利用可能性】
【００５６】
本発明は、画像形成装置の分野に利用可能である。
【符号の説明】
【００５７】
１      画像形成装置
１０    回収部
１１    回収ローラー
１２    回収ローラー
１３    クリーニングローラー
１３３  クリーニングウェブ
２２    給紙ローラー
３      画像形成部
４２    第１搬送ローラー対
４３    第２搬送ローラー対
４４    レジストローラー対
４４ａ  クラウンローラー
Ｄ      搬送方向
Ｌ      搬送路
Ｐ      シート
ＰＬ    異物
ＰＲ    異物
【図１】
2016155676.tif 000003
【図２】
2016155676.tif 000004
【図３】
2016155676.tif 000005